【手続補正書】
【提出日】平成17年2月28日(2005.2.28)
【手続補正１】
【補正対象書類名】明細書
【補正対象項目名】特許請求の範囲
【補正方法】変更
【補正の内容】
【特許請求の範囲】
【請求項１】
画像を読み取るスキャナ機構と画像の印刷を行うプリンタ機構を備えたマルチファンクションプリンタであって、
素材用画像が前記スキャナ機構によって読み取られた後の画像を加工用画像として入力する画像入力手段と、
前記画像入力手段によって入力された前記加工用画像から所定形状のレーベル面に相当するレーベル面相当範囲を選択する範囲選択手段と、
前記加工用画像のうち前記範囲選択手段によって選択された前記レーベル面相当範囲以外をトリミングして印刷用画像データを作成する印刷用画像データ作成手段と、
前記プリンタ機構を制御することにより前記印刷用画像データを前記レーベル面に印刷を行う印刷制御手段と
を備えたマルチファンクションプリンタ。
【請求項２】
請求項１に記載のマルチファンクションプリンタであって、
ユーザによるレーベル面一括印刷の指示を入力する指示入力手段
を備え、
前記印刷制御手段は、前記指示入力手段によって前記レーベル面一括印刷の指示が入力されたあと、前記画像入力手段に前記加工用画像を入力させ、前記範囲選択手段に前記レーベル面相当範囲を選択させ、前記印刷用画像データ作成手段に前記印刷用画像データを作成させ、その後前記プリンタ機構を制御することにより前記印刷用画像データを前記レーベル面に印刷するという一連の作業を実行する、マルチファンクションプリンタ。
【請求項３】
前記素材用画像は、前記所定形状の範囲に形成された画像である、請求項１又は２に記載のマルチファンクションプリンタ。
【請求項４】
前記素材用画像は、任意の大きさである、請求項１又は２に記載のマルチファンクションプリンタ。
【請求項５】
請求項１〜４のいずれかに記載のマルチファンクションプリンタであって、
前記画像入力手段によって入力された前記加工用画像の基準位置を決定する基準位置決定手段
を備え、
前記範囲選択手段は、前記基準位置決定手段によって決定された前記基準位置に基づいて前記レーベル面相当範囲を選択する、マルチファンクションプリンタ。
【請求項６】
前記基準位置決定手段は、前記スキャナ機構上の所定位置を前記基準位置とする、請求項５に記載のマルチファンクションプリンタ。
【請求項７】
請求項５又は６に記載のマルチファンクションプリンタであって、
前記基準位置をユーザが選択することができる操作手段
を備えたマルチファンクションプリンタ。
【請求項８】
前記基準位置決定手段は、前記素材用画像の中心点を算出して前記基準位置とする、請求項５に記載のマルチファンクションプリンタ。
【請求項９】
前記範囲選択手段は、前記加工用画像から前記レーベル面相当範囲を選択する際に前記素材用画像の範囲が前記レーベル面相当範囲と略一致するように前記加工用画像を拡大又は縮小して前記レーベル面相当範囲を選択する、請求項１〜８のいずれかに記載のマルチファンクションプリンタ。
【請求項１０】
画像を読み取るスキャナ機構と画像の印刷を行うプリンタ機構を備えたマルチファンクションプリンタに搭載されたコンピュータが実行するレーベル印刷方法であって、
（ａ）素材用画像が前記スキャナ機構によって読み取られた後の画像を加工用画像として入力するステップと、
（ｂ）前記ステップ（ａ）により入力された前記加工用画像から所定形状のレーベル面に相当するレーベル面相当範囲を選択するステップと、
（ｃ）前記ステップ（ｂ）により選択された前記レーベル面相当範囲以外をトリミングして印刷用画像データを作成するステップと、
（ｄ）前記ステップ（ｃ）により作成された前記印刷用画像データを前記レーベル面に印刷するステップと
を含むレーベル印刷方法。
【請求項１１】
請求項１０に記載されたレーベル印刷方法の各ステップをマルチファンクションプリンタに搭載された１又は複数のコンピュータに実現させるためのプログラム。
【請求項１２】
画像を読み取るスキャナ機構と画像の印刷を行うプリンタ機構とを備えた印刷システムであって、
素材用画像が前記スキャナ機構によって読み取られた後の画像を加工用画像として入力する画像入力手段と、
前記画像入力手段によって入力された前記加工用画像から所定形状のレーベル面に相当するレーベル面相当範囲を選択する範囲選択手段と、
前記加工用画像のうち前記範囲選択手段によって選択された前記レーベル面相当範囲以外をトリミングして印刷用画像データを作成する印刷用画像データ作成手段と、
前記プリンタ機構を制御することにより前記印刷用画像データを前記レーベル面に印刷を行う印刷制御手段と
を備えた印刷システム。
【手続補正２】
【補正対象書類名】明細書
【補正対象項目名】０００７
【補正方法】変更
【補正の内容】
【０００７】
本発明は、画像を読み取るスキャナ機構と画像の印刷を行うプリンタ機構を備えたマルチファンクションプリンタであって、
素材用画像が前記スキャナ機構によって読み取られた後の画像を加工用画像として入力する画像入力手段と、
前記画像入力手段によって入力された前記加工用画像から所定形状のレーベル面に相当するレーベル面相当範囲を選択する範囲選択手段と、
前記加工用画像のうち前記範囲選択手段によって選択された前記レーベル面相当範囲以外をトリミングして印刷用画像データを作成する印刷用画像データ作成手段と、
前記プリンタ機構を制御することにより前記印刷用画像データを前記レーベル面に印刷を行う印刷制御手段と
を備えたものである。
【手続補正３】
【補正対象書類名】明細書
【補正対象項目名】０００８
【補正方法】変更
【補正の内容】
【０００８】
このマルチファンクションプリンタでは、スキャナ機構により読み取られた画像を加工用画像として入力し、その加工用画像から所定形状（例えばドーナツ形状）のレーベル面に相当するレーベル面相当範囲を選択し、その選択されたレーベル面相当範囲以外をトリミングして印刷用画像データ作成した後にレーベル面に印刷を行う。ここで、レーベル面相当範囲は予め決められた範囲であるから、素材用画像がスキャナ機構上にどのように置かれていたとしても、加工用画像からレーベル面相当範囲を選択することは可能である。したがって、トレイを用いることなく素材用画像のうちユーザが希望する範囲の画像をレーベル面に印刷することができる。ここで、「素材用画像」とは、スキャナ機構に読み取らせようとする画像をいい、「加工用画像」とは、素材用画像をスキャナ機構に読み取らせたときの画像全体、つまり素材用画像のほかその素材用画像をスキャナ機構に読み取らせたときに含まれてしまう影や余白部分などを含む画像全体をいう。
【手続補正４】
【補正対象書類名】明細書
【補正対象項目名】００１０
【補正方法】変更
【補正の内容】
【００１０】
本発明のマルチファンクションプリンタにおいて、前記素材用画像は、前記所定形状（例えばドーナツ形状）の範囲に形成された画像であってもよい。こうすれば、読み込む画像と印刷する画像とが同じ形状であるので、簡単にレーベル面の複写印刷を行うことができる。
【手続補正５】
【補正対象書類名】明細書
【補正対象項目名】００１７
【補正方法】変更
【補正の内容】
【００１７】
本発明は、上述したレーベル印刷方法の各ステップをマルチファンクションプリンタに搭載されたコンピュータに実行させるためのプログラムとしてもよい。このプログラムは、コンピュータが読み取り可能な記録媒体（例えばハードディスク、ＲＯＭ、ＦＤ、ＣＤ、ＤＶＤなど）に記録されていてもよいし、伝送媒体（インターネットやＬＡＮなどの通信網）を介してあるマルチファンクションプリンタ又はコンピュータから別のマルチファンクションプリンタへ配信されてもよいし、その他どのような形で授受されてもよい。このプログラムをマルチファンクションプリンタに搭載されたコンピュータに実行させれば、マルチファンクションプリンタは上述のレーベル印刷方法の各ステップを実行するため、上述のレーベル印刷方法と同様の作用効果が得られる。なお、本発明におけるマルチファンクションプリンタは、１つのコンピュータで各ステップのすべてを実行してもよいし、複数のコンピュータで各ステップを分担して実行してもよい。また、本発明は、画像を読み取るスキャナ機構と画像の印刷を行うプリンタ機構とを備えた印刷システムであって、素材用画像が前記スキャナ機構によって読み取られた後の画像を加工用画像として入力する画像入力手段と、前記画像入力手段によって入力された前記加工用画像から所定形状のレーベル面に相当するレーベル面相当範囲を選択する範囲選択手段と、前記加工用画像のうち前記範囲選択手段によって選択された前記レーベル面相当範囲以外をトリミングして印刷用画像データを作成する印刷用画像データ作成手段と、前記プリンタ機構を制御することにより前記印刷用画像データを前記レーベル面に印刷を行う印刷制御手段と、を備えた印刷システムとしてもよい。なお、この印刷システムにおいて、上述したマルチファンクションプリンタの種々の態様を採用してもよい。